(57)【要約】【課題】平スプリング材を内蔵させた犬の首の前側に掛ける革ベルトの部位を外してリードとの連結リングを取り付けるようにしたことにより、リードを引っ張った際に革ベルト部分の円弧状の形状が確実に保持され、犬の首の前側（のどの部分）が狭まって、犬の首が圧迫されるという問題点を解消しようとするものである。【解決手段】平スプリング材を内蔵させた犬の首の前側に掛ける革ベルトと、革ベルトの一端を延長してその先端にバックルを取り付けたバックル保持片と、革ベルトの他端を延長して先端から前記バックルに挿通し、前記バックルに所定の位置で連結固定する長さ調節片とを備え、前記バックル保持片にリードを連結する少なくとも一対の連結リングを併設し、この一対の連結リングにリードを着脱自在に取り付けるようにしたことを特徴とする犬の首輪。【選択図】  図１
2008054517.tif 000002
【特許請求の範囲】
【請求項１】
平スプリング材を内蔵させた犬の首の前側に掛ける革ベルトと、革ベルトの一端を延長してその先端にバックルを取り付けたバックル保持片と、革ベルトの他端を延長して先端から前記バックルに挿通し、前記バックルに所定の位置で連結固定する長さ調節片とを備え、前記バックル保持片にリードを連結する少なくとも一対の連結リングを併設し、この一対の連結リングにリードを着脱自在に取り付けるようにしたことを特徴とする犬の首輪。
【請求項２】
バックルが、所定間隔で長さ調節片に複数設けた位置決め孔に固定ピンを挿通するものであることを特徴とする請求項１に記載された犬の首輪。
【請求項３】
バックルが、抜け止め用の係合部を形成した筒状の雌体に、弾性フックを先端に有する雄体をはめ込んで、前記係合部に弾性フックを係合させて連結するものであることを特徴とする請求項１に記載された犬の首輪。
【請求項４】
革ベルトが、平スプリング材の内側に、低反発衝撃吸収材と軟質弾性材からなる衝撃吸収手段を内蔵していることを特徴とする請求項１ないし３のいずれかに記載された犬の首輪。
【発明の詳細な説明】
【技術分野】
【０００１】
この発明は、犬の日常の散歩や訓練等に用いる犬の首輪に関するものである。
【背景技術】
【０００２】
従来の犬の首輪としては、特開２００３−２９９４２１公報（特許文献１参照）のように、首輪の輪状のところに、金属や樹脂などの平スプリング材を装備し、首輪が外部からの力によって、その輪状が容易に変形しないようにしたものが知られている。
【特許文献１】特開２００３−２９９４２１公報
【発明の開示】
【発明が解決しようとする課題】
【０００３】
前記特許文献１の先行技術は、犬の日常の散歩や訓練に際し、犬の首輪を構成する革ベルトに平スプリング材を内蔵させて、犬の首輪を構成する革ベルトが一定の円弧を保った状態で自由に変形することにより衝撃を緩衝し、犬の牽引力による犬の首（のど）への負担や苦痛を軽減するようにしたものである。
【０００４】
ところが、前記特許文献１の先行技術においては、確かに従来の犬の首輪のようには犬の首の前側（のどの部分）が極端に狭まって、犬に締付による首の圧迫や呼吸困難に陥らせることはなくなった。
しかしながら、革ベルトの平スプリング材を内蔵させた部位にリードとの連結リングを取り付けていたため、やはり犬の首の前側（のどの部分）が狭まって、締付によって犬の首が圧迫されるということは解消していなかった。
【０００５】
この発明は、平スプリング材を内蔵させた犬の首の前側に掛ける革ベルトの部位を外してリードとの連結リングを取り付けるようにしたことにより、リードを引っ張った際に革ベルト部分の円弧状の形状が確実に保持され、犬の首の前側（のどの部分）が狭まって、犬の首が圧迫されるという問題点を解消しようとするものである。
【課題を解決するための手段】
【０００６】
この発明の犬の首輪は、平スプリング材を内蔵させた犬の首の前側に掛ける革ベルトと、革ベルトの一端を延長してその先端にバックルを取り付けたバックル保持片と、革ベルトの他端を延長して先端から前記バックルに挿通し、前記バックルに所定の位置で連結固定する長さ調節片とを備え、前記バックル保持片にリードを連結する少なくとも一対の連結リングを併設し、この一対の連結リングにリードを着脱自在に取り付けるようにしたことを特徴とするものである。
【０００７】
この発明の犬の首輪は、前記バックルが、所定間隔で長さ調節片に複数設けた位置決め孔に固定ピンを挿通するものであることをも特徴とするものである。
【０００８】
この発明の犬の首輪は、前記バックルが、抜け止め用の係合部を形成した筒状の雌体に、弾性フックを先端に有する雄体をはめ込んで、前記係合部に弾性フックを係合させて連結するものであることをも特徴とするものである。
【０００９】
この発明の犬の首輪は、前記革ベルトが、平スプリング材の内側に、低反発衝撃吸収材と軟質弾性材からなる衝撃吸収手段を内蔵していることをも特徴とするものである。
【発明の効果】
【００１０】
上述のように、この発明の犬の首輪によれば、平スプリング材を内蔵させた犬の首の前側に掛ける革ベルトの部位を外してリードとの連結リングを取り付けるようにしたことにより、リードを引っ張った際に革ベルト部分の円弧状の形状が確実に保持され、犬の首の前側（のどの部分）が狭まって、犬の首が圧迫されるという問題点を解消することができた。
また、前記連結リングを少なくとも一対とすることにより、どちらかの連結リングに負荷がかかりすぎて折損した場合でも、もう一方の連結リングでリードが脱落するのを防止することができるので、安全性がより向上する。
【発明を実施するための最良の形態】
【００１１】
以下この発明の犬の首輪の実施の形態を図面に基いて詳細に説明する。
図１はこの発明の犬の首輪の１実施例を示す概略平面図、図２はその要部拡大図、図３はその側面図、図４は首輪に内蔵した平スプリング等を説明するための平面図、図５はこの発明の犬の首輪の他の実施例を示す概略平面図、図６（ａ）は着脱金具の分解状態の平面図、（ｂ）はその側面図、図７（ａ）は着脱金具の結合状態の平面図、（ｂ）はその側面図である。
【００１２】
図１ないし図４の第１の実施例において示されるこの発明の犬の首輪は、犬の首の前側に掛ける革ベルト１１と、該革ベルト１１の一端を延長してその先端にバックル１３を取り付けたバックル保持片１２と、前記革ベルト１１の他端を延長して先端から前記バックル１３に挿通し、前記バックル１３に所定の位置で連結固定する長さ調節片１４とで構成されている。
【００１３】
前記バックル１３は、矩形の外枠２１と、外枠の１辺の中央に回転可能に取り付けられて、外枠２１の中央を縦断するように伸びる固定ピン２２とを備えているので、前記長さ調節片１４に所定間隔で複数並設した位置決め孔２３に、前記固定ピン２２を挿通することにより、首輪の輪のサイズを適宜調整することができるようになっている。
なお、前記バックル保持片１２とおよび長さ調節片１４とも、前記革ベルト１１の端部に縫製等によって強固に固着されている。
【００１４】
３１は、前記バックル保持片１２に首振り自在に取り付けた少なくとも一対の連結リングで、この一対の連結リング３１，３１にリード３２を着脱自在に取り付けるようになっている。リード３２は、前記連結リング３１に掛止金具３３を介して連結するようになっている。
３４は掛止金具３３とリード３２を連結する軸受枠で、この軸受枠３４に掛止金具３３が回転自在に保持されている。
【００１５】
前記革ベルト１１には平スプリング材４１が内蔵してあり、この平スプリング材４１は、犬の首５１を絞めすぎない程度の所定の剛性を有していることが望ましい。このような素材としては、弾性を備えたプラスチック素材、たとえばアイオノマー樹脂やエンジニアリングプラスチック類、弾性を有する燐青銅等の金属素材が好適に使用できる。
【００１６】
また、前記革ベルト１１内には、図４に示すように、前記平スプリング材４１の内側に、低反発衝撃吸収材４２と軟質弾性材４３からなる衝撃吸収手段を内蔵させることが望ましい。
低反発衝撃吸収材４２としては低反発ウレタンが、軟質弾性材４３としては高発泡ウレタン等が好適である。このように前記革ベルト１１内に低反発衝撃吸収材４２と軟質弾性材４３からなる衝撃吸収手段を内蔵させることにより、前記平スプリング材４１の剛性によって犬の首５１を締め付けすぎることを防止するとともに、犬が過度に引っ張っても衝撃吸収手段で犬の首５１（のどの部分）に負荷が集中することを防ぎ、犬に締付による首の圧迫や呼吸困難に陥らせることがなくなる。
【００１７】
図５は、この発明の犬の首輪の他の実施例を示すもので、平スプリング材９１を内蔵した犬の首の前側に掛ける革ベルト６１と、革ベルト６１の両端に取り付けた伸縮ベルト６２から構成されている。前記革ベルト６１の一端には伸縮ベルト６２の端部が縫製等によって強固に固着されている。また前記革ベルト６１の他端には伸縮ベルト６２の端部が着脱金具６３によって着脱自在に連結されている。
【００１８】
前記伸縮ベルト６２は、固着された前記革ベルト６１の一端から着脱金具６３の雄体７１の係合孔に挿通し、その後折り返して長尺の二重構造としてある。またその先端はさらに折り返して短尺の二重構造としてある。そして、この短尺の二重構造部分にはリング６４が縫着され、このリング６４には掛止金具（図示せず）を介してリード（図示せず）が連結される。
７２は着脱金具６３の雌体である。
【００１９】
前記着脱金具６３は、図６（ａ），（ｂ）および図７（ａ），（ｂ）に示すように、雄体７１および雌体７２で構成されている。前記雄体７１の基端にはベルト体の端部を挿通する係合孔７３が形成されており、先端には３本の弾性爪７４が凸設されている。
前記雌体７２の基端には、ベルト体の端部を挿通する係合孔７５が形成されており、先端に向かって筒状部分７６が形成されている。また、前記筒状部分７６の両側壁には開口窓７７が形成されている。そして、雄体７１の弾性爪７４は弾性変形して筒状部分７６に挿通されると同時に、該開口窓７７に設けた係合部に弾性爪７４の段差７８が係合して抜け止めするようになっている。
【００２０】
図５において，前記伸縮ベルト６２の適所に取り付けられ、中央に差し渡し棒８２を固設した矩形の長さ調節金具８１には、その片方の窓に下側から挿通した伸縮ベルト６２を他方の窓に上側から挿通することにより伸縮ベルト６２を組み付けている。
また、差し渡し棒８２には、予め伸縮ベルト６２の短尺の二重構造部分の折返し部分８３が巻き付けられており、折返し部分８３の外側を伸縮ベルト６２がスライドするようになっている。
【００２１】
次にこの発明の犬の首輪の使用態様について説明する。
図１において、バックル１３の係合を解き、バックル保持片１２と長さ調節片１４との間に犬の首５１をはめ込み、前記長さ調節片１４に所定間隔で複数並設した位置決め孔２３に、前記固定ピン２２をはめ込んで両者を連結固定する。
次に掛止金具３３のレバー３３−１を操作してリング部分を開口させ、掛止金具３３をリング３１に取り付ける。これによって犬の首輪の装着が完了する。
この状態で、リード３２を伸張させれば、犬の散歩や訓練に出かけることができる。
図５の実施例においても同様に、着脱金具６３の係合を解いて犬の首をはめ込み、再度着脱金具６３の雄体７１と雌体７２とを係合させて両者を連結固定する。
次に掛止金具のレバーを操作してリング部分を開口させ、掛止金具をリングに取り付ける。これによって犬の首輪の装着が完了する。
【産業上の利用可能性】
【００２２】
上述のように、この発明の犬の首輪は、犬の日常の散歩や訓練等に用いられることはもちろんのこと、それ以外の場面でも使用できることはいうまでもない。
また犬の首輪に、ペアファッションやその他のファッションの要素も取り入れることが可能である。これは、革ベルト部分の色や模様などの組み合わせパターンによって実現できる。
【図面の簡単な説明】
【００２３】
【図１】この発明の犬の首輪の１実施例を示す概略平面図である。
【図２】その要部拡大図である。
【図３】その側面図である。
【図４】首輪に内蔵した平スプリング等を説明するための平面図である。
【図５】この発明の犬の首輪の他の実施例を示す概略平面図である。
【図６】（ａ）は着脱金具の分解状態の平面図、（ｂ）はその側面図である。
【図７】（ａ）は着脱金具の結合状態の平面図、（ｂ）はその側面図である。
【符号の説明】
【００２４】
１１  革ベルト
１２  バックル保持片
１３  バックル
１４  長さ調節片
２１  外枠
２２  固定ピン
２３  位置決め孔
３１  連結リング
３２  リード
３３  掛止金具
３３−１  レバー
３４  軸受枠
４１  平スプリング材
４２  低反発衝撃吸収材
４３  軟質弾性材
５１  犬の首
６１  革ベルト
６２  伸縮ベルト
６３  着脱金具
６４  リング
７１  雄体
７２  雌体
７３  係合孔
７４  弾性爪
７５  係合孔
７６  筒状部分
７７  開口窓
７８  段差
８１  長さ調節金具
８２  差し渡し棒
８３  折返し部分
９１  平スプリング材
【図１】
2008054517.tif 000003
【図２】
2008054517.tif 000004
【図３】
2008054517.tif 000005
【図４】
2008054517.tif 000006
【図５】
2008054517.tif 000007
【図６】
2008054517.tif 000008
【図７】
2008054517.tif 000009